(57)【要約】【課題】ビルトインタイプのミスト発生装置を収容した収容室の開口部を塞ぐに際し、浴室内を豪華に飾ると共に、使い勝手を追求する。【解決手段】上部に吹き出し口３を形成すると共に、下部に吸い込み口２を形成し、それら吹き出し口３と吸い込み口２との間にあたる高さにて、前面手前に向けてカウンタ部１を張り出し形成する。カウンタ部１を脚無しタイプ又は脚付きタイプに形成する。裏面に、ミスト発生装置の収納スペースの開口面内周壁に対応した嵌め込み部４を設ける。【選択図】    図１
2005006841.tif 000002
【特許請求の範囲】
【請求項１】
浴室内の壁面に凹設されたミスト発生装置収納用スペースの開口面を覆う化粧カバーであって、上部に吹き出し口を形成すると共に、下部に吸い込み口を形成し、それら吹き出し口と吸い込み口との間にあたる高さにて、前面手前に向けてカウンタを張り出し形成したビルトイン式ミスト発生装置用化粧カバー。
【請求項２】
カウンタが脚無しタイプである請求項１に記載のビルトイン式ミスト発生装置用化粧カバー。
【請求項３】
カウンタが脚付きタイプである請求項１に記載のビルトイン式ミスト発生装置用化粧カバー。
【請求項４】
裏面に、ミスト発生装置収納用スペース開口面内周壁に対応した嵌め込み部が設けられている請求項１〜３のいずれかに記載のビルトイン式ミスト発生装置用化粧カバー。
【発明の詳細な説明】
【０００１】
【発明の属する技術分野】
本発明は、浴室内の壁面に凹設されたミスト発生装置収納用スペースの開口面を覆って壁面の美観を保つための化粧カバーに関する。
【０００２】
【従来の技術】
浴室を低温サウナとして利用することを目的とし、スチームやミストを発生させる機器（以下それらを一括してミスト発生装置という）としては、例えば特許文献１に記載の装置がある。
このミスト発生装置は、床の壁際に設置し、配管と接続して使用される。
【０００３】
前記従来のミスト発生装置は、設置すると洗い場の一部が占有され、特にユニットバスでは狭苦しさを感じることがある。
それに対して例えば、特許文献２や特許文献３に記載のように、浴室、浴槽、カウンタの各壁面内に組み込むビルトインタイプのミスト発生装置も提案されている。
【０００４】
【特許文献１】
特開２００２−２０９７８５号公報
【特許文献２】
特開平６−６３１０４号公報
【特許文献３】
特開平９−２９４７９８号公報
【０００５】
【発明が解決しようとする課題】
しかし、特許文献２や特許文献３では、ミスト発生装置がビルトインされた壁はすっきりとしているが、吸気口と吹き出し口とが開いているだけなので存在感が薄れ、逆に素っ気がないと感ずる人もいる。又、吹き出し口が床付近に位置しているので、浴室全体を暖めるには効果的ではあるが、冬場には浴室内全体を暖めるには時間がかかり即効性に欠け、その場合には体の周りだけをミストで包んで簡易的にサウナ効果を得ようとしても、そのような使い方ができない。
そのためランニングコストが嵩んでしまい、せっかく導入しても充分活用されていないケースも見受けられる。
【０００６】
【課題を解決するための手段】
本発明は、浴室内の壁面に凹設されたミスト発生装置収納用スペースの開口面を覆い、手軽にサウナの気分を体感可能としたビルトイン式ミスト発生装置用化粧カバーであって、その構成は、上部に吹き出し口を形成すると共に、下部に吸い込み口を形成し、それら吹き出し口と吸い込み口との間にあたる高さにて、前面手前に向けてカウンタを張り出し形成したことにある。
【０００７】
前記カウンタは、脚無しタイプと脚付きタイプとの両方のタイプがあり、裏面に、ミスト発生装置収納用スペース開口面内周壁に対応した嵌め込み部を設けることができる。
【０００８】
【発明の実施の形態】
以下に、本発明に係るビルトイン式ミスト発生装置用化粧カバー（以下単に化粧カバーという）の実施形態を図面に基づいて説明する。
図１は化粧カバーＡの正面及び側面を示したもので、合成樹脂製で、前面の中央にカウンタ部１を備え、そのカウンタ部１の下方に吸い込み口２が、上部には吹き出し口３が切り抜き形成されている。
裏面には、上縁及び両側縁に連続して奥方へ嵌め込み部４が延設され、前記カウンタ部１は前縁が円弧形状で、水平上面には複数本のリブ５，５・・が設けられ、下面は膨らみを持ったなだらかなテーパ面となっており、全体として、エッジ部は全て面取りされている。
【０００９】
このように形成された化粧カバーＡは、図２に示すように、浴室内の壁に凹設されたミスト発生装置収納スペース６内にミスト発生装置７を設置し、収納スペース６の開口面を塞ぐために使用される。収納スペース６は、カラン８の下に設けることが望ましく、カラン８の上方壁面にミラー９が取り付けられている環境が理想的である。
【００１０】
前記化粧カバーＡの嵌め込み部４は、収納スペース６の開口面に対応したサイズに形成されていて、押し込むだけで簡単に嵌め込み装着でき（図３）、また手軽に取り外しできる。よって収納スペース６内に設置されたミスト発生装置７の保守管理が容易になる。さらに収納スペース６の開口面を隙間無く塞ぐサイズに形成すれば、開口面から収納スペース６内への浸水を防止できる。
【００１１】
図４に示すように、装着された化粧カバーＡはミラー９とマッチしてカウンタ部１の存在を引き立たせ、殺風景な浴室内を豪華に演出して美観を向上できる。そして化粧カバーＡは壁と一体となり、唯一膨出しているカウンタ部１の上面に洗面器や石けんなどの浴用小物を載置できるので、洗髪や洗顔をするとき、洗い場での作業性に優れ、洗い場スペースの有効利用が可能となる。
【００１２】
さらに、化粧カバーＡの上部に吹き出し口３を形成すると共に、下部に吸い込み口２を形成したので、化粧カバーの前に腰掛けるとミストは胸から腰の間に向けて吹き付けられ、浴室全体を所定の温度まで上昇させることなく化粧カバー周りだけに集中して効率良くミストを発生させることが可能となる。よって体の周りだけをミストで包むサウナ効果を、短時間のうちに手軽に得ることが可能となる。よって、ミスト発生装置７のランニングコストを抑えると共に、その使用頻度を高めることができる。
【００１３】
前記実施例では、カウンタ部１が中央部分のみを膨出させたいわゆる脚無しタイプであるが、図５に示すように、中央から下の部分を前面手前に出っ張らせてその出っ張り部分の上面をカウンタ部１とし、出っ張り部分を脚１ａとする脚付きタイプにしたり、嵌め込み部４を隅角部から突設させた四本の脚４ａで形成することもできる。カウンタ部１を脚付きタイプにした場合には、カウンタ部１の耐久性を向上できる。また嵌め込み部４を隅角部から突設させた四本の脚４ａで形成した場合には、嵌め込み部４の嵌め込み機能維持に必要な基礎枠を残してそれ以外の材料を省くことができ、よって製造コストを低減できる。
【００１４】
合成樹脂以外に、陶磁器製、或いはステンレス等の金属製とすることもでき、上縁アーチ状にしたり、吸い込み口２、吹き出し口３やカウンタ部１の形状を変更したり、吹き出し口３にルーバーを設けるなど、適宜変更して差し支えない。尚、ミスト発生装置７をヒータと交換し、浴室暖房用器具のカバーとしてもかまわない。
【００１５】
【発明の効果】
以上詳述したように、請求項１の発明によれば、化粧カバーは壁と一体となって浴室の美観を向上でき、唯一膨出しているカウンタ部の上面に洗面器や石けんなどの浴用小物を載置できるので、洗い場での作業性に優れ、洗い場スペースの有効利用が可能となる。またミスト吹き出し口が上部に位置しているので、化粧カバーの前に腰掛けるとミストは胸から腰の間に向けて吹き付けられ、体の周りがミストで包み込まれ、その体を包み込んだミストによって適温に保たれ、サウナ特有の発汗作用でリラックスできる。このようなサウナ効果を、短時間で手軽に得ることができ、ミスト発生装置のランニングコストを抑えると共に、その使用頻度を高めることができる。
【００１６】
請求項２の発明によれば、カウンタを脚無しタイプとしたので、洗い場スペースの有効利用が可能となる。また請求項３の発明によれば、カウンタを脚付きタイプとしたので、カウンタ部の耐久性を向上できる。
【００１７】
請求項４の発明によれば、裏面の嵌め込み部をミスト発生装置収納用スペース開口面内周壁に対応したサイズに形成した場合、化粧カバーを簡単に脱着できる。
【図面の簡単な説明】
【図１】本発明に係る化粧カバーを示したもので、（ａ）は正面図、（ｂ）は側面図である。
【図２】開口部に嵌め込んで装着する状態を示した説明図である。
【図３】開口部に装着した状態を示した断面説明図である。
【図４】開口部に装着した状態を示した説明図である。
【図５】変更例の説明図である。
【符号の説明】
１・・カウンタ部、１ａ・・脚、２・・吸い込み口、３・・吹き出し口、４・・嵌め込み部、４ａ・・脚、６・・収納スペース、７・・ミスト発生装置、Ａ・・化粧カバー。
【図１】
2005006841.tif 000003
【図２】
2005006841.tif 000004
【図３】
2005006841.tif 000005
【図４】
2005006841.tif 000006
【図５】
2005006841.tif 000007